(57)【要約】      （修正有）【課題】人の生活するに最適の環境・居住空間をもたらすことのできる調湿・脱臭機能を備えた家庭内部屋に設置した有用な木質板スノコを提供する。【解決手段】木質板２の隙間を持たせて並べ合わせた板材面上に、各木質板材２の間隔面に凹部空間を形成されるとともに、凹部空間部に無機質調湿・吸湿材３の板材を固着・装填している。【選択図】図１
0003211295.tif 000002
【実用新案登録請求の範囲】
【請求項１】
木質板の隙間を持たせて並べ合わせた板材面上に、各木質板材の間隔面に凹部空間を形成されるとともに、上記凹部空間部に無機質調湿・吸湿材の板材を固着・装填していることを特徴とする無機質調湿・吸湿材を使用した木質板スノコ。
【請求項２】
無機質調湿・吸湿材の板材は、珪藻土の基材、又はバーミキュライトとケイ酸カルシウムからなる基材で、厚さ４〜１５ｍｍ、幅２５〜２００ｍｍの板状材であって、木質板の隙間を持たせて並べ合わせたスノコ状板材面の凹部空間部に装填して、木質板と交互に並んで構成されていることを特徴とする請求項１に記載の無機質調湿・吸湿材を使用した木質板スノコ。
【請求項３】
木質板スノコ状板は、殺菌、脱臭の効果を持つ檜、杉、松の板状体であって、前記板状体の厚さ１０〜２５ｍｍで、縦長さ４５０〜１２００ｍｍで、横幅を５０〜２００ｍｍであり、凹部空間部の幅を２５〜２００ｍｍで、高さ２０〜５０ｍｍになって、全体的に均等に配列されていることを特徴とする請求項１、又は請求項２に記載の無機質調湿・吸湿材を使用した木質板スノコ。
【請求項４】
木質板スノコは、側面にスライド溝構造の凹部空間が形成した複数の平板材を平行に整列するとともに、これらスノコ状板材の上面に複数の平板材が間隔を開けて固着され、上記複数の平板材の相互に対向する凹部空間部間に前記無機質調湿・吸湿材の板状体を自在に挿入して、前記スノコ状の平板材の表面レベルと同等面か、又はそれ以下の面になるようにしていることを特徴とする請求項１〜請求項３のいずれかに記載の無機質調湿・吸湿材を使用した木質板スノコ。
【請求項５】
無機質調湿・吸湿材を使用した木質板スノコは、ベッド、ソファのクッション部の下部、あるいは押し入れの荷物及び下駄箱内靴の下部に敷くもの、あるいは水回り場所の洗面所、トイレ、浴室の足場として使用されることを特徴とする請求項１〜請求項４のいずれかに記載の無機質調湿・吸湿材を使用した木質板スノコ。
【考案の詳細な説明】
【技術分野】
【０００１】本考案は、無機質調湿・吸湿材を使用した木製板スノコで、殺菌、脱臭の効果を持つ檜、杉、松の板状体に、木質板材に凹部空間と該凹部空間に無機質調湿・吸湿材の板材で構成されて、収納空間内での除湿、脱臭分の除去を行うに好適な板状材とそれを用いた無機質調湿・吸湿材を使用した木質板スノコに関するものである。
【背景技術】
【０００２】従来から日本の家庭で使用されている例えば、下駄箱では外出先から帰宅した後、脱いだ履物を下駄箱内の棚板上に載置し、戸板を締めて収納するものであるがこの場合、靴などが吸い込んだ水分や汗の臭いを除去することに気配りする人は吸湿剤や脱臭剤を靴の中に入れたり、下駄箱の片隅に予め設置しておくなどの処置をしている。また、布団を押入れに収納する場合、押入床面上に新聞紙やダンボール紙を敷き詰めるなどをしていた。このような方策では、睡眠中に体から排出され、布団が吸収した汗や臭いは蓄積されるばかりであり、それらを除去する手法として時折天日干しすることが昔から行われていた。【０００３】しかし、近年、生活環境改善の一方策として、押入れに収納した布団にあっては身体から出た汗による水分や臭いを吸着除去するためにスノコの下部に、椰子柄活性炭、備長炭、竹炭などを入れた炭容器をセットした下部スノコを引出し自在にしたもの、その他、布団などを載置可能な基台の下部に木炭、竹炭を入れた引出し容器を収納したものなどが既に提案されている（特許文献１，２参照）。【０００４】人の生活するに最適の環境・居住空間をもたらすことのできる調湿・脱臭機能を備えた家具、建築部材等の構成に有用な部材を提供するために、板状体内に、調湿・脱臭剤等を介装した板状部材でもって家具や建築用構成部材として用いて、貼り合せられた少なくとも上下二枚の板材の重ね合わせ面側の、少なくとも一方の板材に凹部空間と該凹部空間に連通する複数個のスリット又は開孔が形成されるとともに上記凹部空間には調湿・脱臭剤が装填されている板状部材スノコが提案されている（特許文献３参照）。【０００５】スノコが従来から持つ通気機能をさらに高め、且つその通気機能と炭の持つ除湿機能とを相乗化させると共に、効果的な消臭作用を併せ持つスノコを提供することが検討されて、下部スノコの枠体内に炭容器を収納する。上部スノコ内に下部スノコを引出し状で収納する。桁の底面に側部通気孔を形成して、枠体の前面に前部通気孔を形成する。下部スノコが上部スノコ内に収納された際、下部桟木の底面が桁の最下部より高い位置になるように設けることが提案されている（特許文献４参照）。【０００６】  押し入れ内の湿気を吸収しやすくし、脱着を容易にして、吸湿体の乾燥させる時期を安価で簡単な方法でわかるようにするために、吸湿体付きスノコを取付け、湿度インジケーターカードを取り付けたものが提案されている（特許文献５参照）。【０００７】無機質調湿・吸湿材を使用した木質板スノコで、殺菌、脱臭の効果を持つ檜、杉、松の板状体に、木質板材に凹部空間と該凹部空間に連通する複数個のスリット溝空間部に無機質調湿・吸湿材の板材で構成されたものは存在していない。
【先行技術文献】
【特許文献】
【０００８】
【特許文献１】特開平１１−２２９６０４号公報
【特許文献２】実用新案登録第３０６１０８０号公報
【特許文献３】特開２００５−１１３４７８号公報
【特許文献４】特開平１１−２２９６０４公報
【特許文献５】特開２００１−１７３２１９号公報
【考案の概要】
【考案が解決しようとする課題】
【０００９】  しかしながら、上記公報に開示されているスノコにあっては、備長炭などの吸湿、吸臭成分のみを用いたものであるため、吸湿、吸臭機能はそれほど大きいものではなく、脱臭能力も初期性能を長期間保持できず、本来の吸湿・脱臭機能をもたらすには改めて新たな活性炭と頻繁に入れ替える必要があった。【００１０】上記した押入れ除湿剤や除湿容器は、布団の隙間や開いている部分に置くだけでその周辺の除湿はするものの押入れ全体の除湿は十分になされない。また、これらの除湿手段は殆どが使い捨てである上、化学薬品を用いているため、廃棄する際において環境上の問題が残る。さらに、除湿効果を得られても消臭効果は十分とはいえず、カビ臭さなどを消すことはできなかった。上記問題に鑑みなされたもので、スノコが従来から持つ通気機能をさらに高め、且つその通気機能と炭の持つ除湿機能とを相乗化させると共に、効果的な消臭作用を併せ持つスノコを提供することを目的とするものであった。【００１１】無機質調湿・吸湿材を使用した間伐材の杉、ヒノキの木質板スノコである吸湿・吸湿体がスノコ表面のスノコ板の間からだけでなく、裏面からも吸着でき、スノコどうしを組み立てることなく、スノコの単体空間にて容易に押し入れ内にて脱着ができ、なおかつ吸湿・吸湿体付近の湿気を、簡便な方法にてわかるようにした、無機質の吸湿・吸湿体付きスノコを提供しようとするものである。
【課題を解決するための手段】
【００１２】本考案はかかる実状に鑑みてなされたものであり、長期間に亘り吸湿脱臭に加え殺菌機能を低下することなく、かつ、日光に数時間晒すことでもって繰り返し上記機能を回復可能とした無機質調湿・吸湿材の板材部材と該木質板状部材で構成した木質板スノコは、ベッド、ソファのクッション部の下部、あるいは押し入れの荷物及び下駄箱内靴の下部に敷くもの、あるいは水回り場所の洗面所、トイレ、浴室の足場として使用される木質板スノコを提供するものである。【００１３】木質板の隙間を持たせて並べ合わせた板材面上に、各木質板材の間隔面に凹部空間を形成されるとともに、上記凹部空間部に無機質調湿・吸湿材の板材を固着・装填している無機質の調湿・吸湿材を使用した木質板スノコである。【００１３】無機質調湿・吸湿材の板材は、珪藻土の基材、又はバーミキュライトとケイ酸カルシウムからなる基材で、厚さ４〜１５ｍｍ、幅２５〜７０ｍｍの板状材であって、木質板の隙間を持たせて並べ合わせたスノコ状板材面の凹部空間部に装填して、木質板と交互に並んで構成されている。【００１４】木質板スノコ状板は、殺菌、脱臭の効果を持つ檜、杉、松の板状体であって、前記板状体の厚さ１０〜２５ｍｍで、縦長さ４５０〜１２００ｍｍで、横幅を５０〜１００ｍｍであり、凹部空間部の幅を２５〜７０ｍｍで、高さ２０〜５０ｍｍになって、全体的に均等に配列されている。【００１５】木質板スノコは、側面にスライド溝構造の凹部空間が形成した複数の平板材を平行に整列するとともに、これらスノコ状板材の上面に複数の平板材が間隔を開けて固着され、上記複数の平板材の相互に対向する凹部空間部間に前記無機質調湿・吸湿材の板状体を自在に挿入して、前記スノコ状の平板材の表面レベルと同等面か、又はそれ以下の面になるようにしている。【００１６】無機質調湿・吸湿材を使用した木質板スノコは、ベッド、ソファのクッション部の下部、あるいは押し入れの荷物及び下駄箱内靴の下部に敷くもの、あるいは水回り場所の洗面所、トイレ、浴室の足場として使用される。【００１８】なお、本考案にかかる上記板状部材はとしては、各平板材の間に、中抜きをした空間部を重ねて貼り合わせて無機質調湿・脱臭材を装填する凹部空間を形成してもよい。さらに、複数の平板材を配列し、該板材に、直行方向に間隙をあけて複数の平板材を固定してなる木質スノコを構成し、平板と平板の間に、上記の調湿・脱臭機能を持たせた板状部材を配置して、幅広い用途でのスノコを構成したものである。
【考案の効果】
【００１９】本考案は上述した如く構成したものであることから、優れた調湿（吸湿）、脱臭機能が長期間に亘って持続しかつ、抗菌性を有する無機質を適量付加してあることから抗菌作用が相乗する効果を併せて発揮するため、居室内を常に良好なる居住環境に保つ事ができ、居住者をして心身ともに健康な状態とし、快適な生活を営むことができるようになった。【００２０】従来の杉、檜、松の持つ防湿効果に加え、無機質調湿・吸湿材の珪藻土の基材、又はバーミキュライトとケイ酸カルシウムからなる基材が持つ防湿効果・調湿効果や防虫効果があいまって期待出来、防湿・調湿、防虫性の優れた家庭用木質材スノコになる。又、無機質調湿・吸湿材の防湿効果ともに素材の杉、檜、松の黴の発生も出来るようになった。
【図面の簡単な説明】
【００２１】
【図１】無機質調湿・吸湿材を使用した木質板スノコの斜視図である。
【図２】無機質調湿・吸湿材を使用した木質板スノコに係る板状部材の凹部空間に介装する調湿・脱臭材を入れた外観図を示す斜視図である。
【図３】無機質調湿・吸湿材を使用した木質板スノコの無機質調湿・吸湿材と木質板材の構成を示す斜視図である。Ａ：ベッド  Ｂ：ソファ
【図４】無機質調湿・吸湿材を使用した木質板スノコの使用態様例を示す図である。Ａ：部屋の中の押入れ  Ｂ：トイレ  Ｃ洗面室
【考案を実施するための形態】
【００２２】  以下、本発明の実施の形態に係る調湿・脱臭機能を備えた板状部材とそれを用いた押入れ用スノコについて、それぞれ図面を参照しながら具体的に詳述する。
【実施例１】
【００２３】図１に示すように木製板を貼り合せられた上下二枚の板材の重ね合わせ面側の、少なくとも一方の木質板材に凹部空間と無機質調湿・吸湿材とを形成されるとともに、上記凹部空間に無機質調湿・吸湿材の板材を固着・装填されている無機質調湿・吸湿材を使用した幅９７０ｍｍ、長さ９７０ｍｍの木製板スノコである。【００２４】図２２に示すように無機質調湿・吸湿材の板材は、バーミキュライトとケイ酸カルシウムからなる基材（モイス商品名）であって、厚さ４ｍｍ、幅４５ｍｍの板状材を、１００ｍｍ幅ヒノキの木製板を貼り合せられた板材の凹部空間に装填してスノコ状に構成した。【００２５】木製板スノコは、殺菌、脱臭の効果を持つヒノキの板状体であって、厚さ１２ｍｍであり、幅としての縦幅１００ｍｍ、横幅９７０ｍｍであって、前記板状体の幅を１００ｍｍ、凹部空間を４５ｍｍで、高さ３２ｍｍになった。【００２６】木製板スノコは、側面にスライド溝構造の凹部空間が形成した複数の桁を平行に整列するとともに、これら桁の上面に複数の平板が間隔を開けて固定され、上記複数の桁の相互に対向するスライド溝間に前記の無機質調湿・吸湿材の板状体を抜き差し自在に挿入でき、前記スノコの表面レベルより６ｍｍ下にした。【００２７】無機質調湿・吸湿材を使用した木製板スノコは、図３のＡで示すように、ベッドのクッション部の下部に使用した。
【実施例２】
【００２３】実施例１と同様に、木製板を貼り合せられた上下二枚の板材の重ね合わせ面側の、少なくとも一方の木質板材に凹部空間と該凹部空間に連通する複数個の開口部を形成されるとともに、上記凹部空間に無機質調湿・吸湿材の板材を固着・装填されている無機質調湿・吸湿材を使用した木製板スノコである。【００２４】無機質調湿・吸湿材の板材は、珪藻土の基材であって、厚さ１２ｍｍ、幅４０ｍｍの板状材を、杉の木製板を貼り合せられた板材の凹部空間に装填してスノコ状に構成した。【００２５】図２に示すように木製板スノコは、殺菌、脱臭の効果を持つ杉の板状体であって、厚さ１２ｍｍであり、幅としての縦横それぞれ６００ｍｍ、５２０ｍｍであって、前記板状体の幅を４０ｍｍ、凹部空間を８０ｍｍで、高さ２５ｍｍになった。【００２６】木製板スノコは、側面にスライド溝構造の凹部空間が形成した複数の桁を平行に整列するとともに、これら桁の上面に複数の平板が間隔を開けて固定され、上記複数の桁の相互に対向するスライド溝間に前記の無機質調湿・吸湿材の板状体を抜き差し自在に挿入でき、前記スノコの表面レベルと同等面か、又はそれ以上の面にした。【００２７】無機質調湿・吸湿材を使用した木製板スノコは、図４のＢ，Ｃに示すように、水回り場所の洗面所、トイレ、浴室に使用した。
【実施例３】
【００２８】木製板を貼り合せられた上下二枚の板材の重ね合わせ面側の、少なくとも一方の木質板材に凹部空間と該凹部空間に連通する複数個の開口部を形成されるとともに、上記凹部空間に無機質調湿・吸湿材の板材を固着・装填されている無機質調湿・吸湿材を使用した８１０＊８１０ｍｍの押入れの木製板スノコであった。【００２９】図１に示すように、無機質調湿・吸湿材の板材は、バーミキュライトとケイ酸カルシウムからなる基材（モイス商品名）であって、厚さ１２ｍｍ、幅９０ｍｍの板状材を檜の木製板を貼り合せられた板材の凹部空間に装填してスノコ状に構成した。【００３０】木製板スノコは、殺菌、脱臭の効果を持つ檜の板状体であって、厚さ１２ｍｍであり、幅としての縦８１０ｍｍ、横８１０ｍｍであって、前記板状体の幅を５０〜１００ｍｍ、凹部空間を９０ｍｍで、高さ３０ｍｍになった。【００３１】木製板スノコは、側面にスライド溝構造の凹部空間が形成した複数の桁を平行に整列するとともに、これら桁の上面に複数の平板が間隔を開けて固定され、上記複数の桁の相互に対向するスライド溝間に前記の無機質調湿・吸湿材の板状体を挿入した。また前記スノコの表面レベルと同等面より下の面にした。【００３２】無機質調湿・吸湿材を使用した木製板スノコは、図４のＡに示すように、押し入れの荷物に使用した。
【符号の説明】
【００３３】１．木製板スノコ
２．木製板
３．無機質調湿・吸湿材
４．凹部空間
５．スリット溝
６．サン木
７．ベッド、ソファのフレーム
８．押入れ
９．下駄箱
１０．洗面台
１１．便器
【図１】
0003211295.tif 000003
【図２】
0003211295.tif 000004
【図３】
0003211295.tif 000005
【図４】
0003211295.tif 000006